(57)【要約】【課題】  安価で軽量な上、様々なタイプの容器に製作可能で、容易に洗浄することができる折り曲げ可能な耐熱性皿体を提供する。【解決手段】  折り曲げ可能な耐熱性皿体は、容器１及びシリコーンゲル体２を備える。容器１は、皿体１１及び複数の折り曲げ辺１２を有する。皿体１１は、内側に折り曲げられて形成された折り曲げ辺１２を外縁に有する。折り曲げ辺１２は、皿体１１の周縁部に形成され、皿体１１は、折り曲げ辺１２で折り曲げて容器形状に形成する。シリコーンゲル体２は、シリコーンゲルからなり、皿体１１と食品とが接触される面と、皿体１１の表面とに形成される。皿体１１上には、少なくとも１つの固定部材３のフレーム体３１が配置される。皿体１１は、再生紙又は分解容易な紙材からなる。【選択図】  図１
0003173686.tif 000002
【実用新案登録請求の範囲】
【請求項１】
容器及びシリコーンゲル体を備える折り曲げ可能な耐熱性皿体であって、
前記容器は、皿体及び複数の折り曲げ辺を有し、前記皿体は、内側に折り曲げられて形成される前記折り曲げ辺を外縁に有し、前記折り曲げ辺は、前記皿体の周縁部に形成され、
前記皿体は、前記折り曲げ辺で折り曲げられて容器の形状に形成され、
前記シリコーンゲル体は、シリコーンゲルからなり、前記皿体と食品とが接触する面と、前記皿体の表面とに形成されてなることを特徴とする折り曲げ可能な耐熱用皿体。
【請求項２】
前記皿体上には、少なくとも１つの固定部材のフレーム体が配置されてなることを特徴とする請求項１に記載の折り曲げ可能な耐熱性皿体。
【請求項３】
前記皿体は、再生紙又は分解容易な紙材からなることを特徴とする請求項１に記載の折り曲げ可能な耐熱性皿体。
【請求項４】
前記皿体の前記折り曲げ辺の間で重なる箇所には、取り付け孔が設けられ、
前記取り付け孔には、固定部材の係止端部が挿設され、
前記皿体には、前記固定部材が少なくとも１つ取り付けられ、
前記固定部材は、係止端部、嵌杆及び固定端をそれぞれ有し、
前記係止端部は、前記皿体の前記取り付け孔より略大きい外径を有し、前記嵌杆が側部に延設され、前記嵌杆の外径が前記取り付け孔の直径より略小さく、前記嵌杆の端部に固定端が設けられ、
前記固定端は、前記取り付け孔の直径より大きい外径を有することを特徴とする請求項１に記載の折り曲げ可能な耐熱性皿体。
【請求項５】
前記皿体は、切断されて多角形状に形成され、前記折り曲げ辺で折り曲げて多角形状に形成されるか、又は前記折り曲げ辺で折り曲げて一方がケース状に形成されてなることを特徴とする請求項１に記載の折り曲げ可能な耐熱性皿体。
【請求項６】
前記固定部材の前記フレーム体は、中空状又は中実状であることを特徴とする請求項２に記載の折り曲げ可能な耐熱性皿体。
【請求項７】
前記固定部材の前記フレーム体は、Ｌ字状の形状を有し、
前記フレーム体のＬ字状のコーナー部には、折り曲げられた前記容器の前記皿体の上縁が係合されてなることを特徴とする請求項２に記載の折り曲げ可能な耐熱性皿体。
【考案の詳細な説明】
【技術分野】
【０００１】
本考案は、折り曲げ可能な、加熱調理に適する耐熱性皿体に関するものであり、さらに詳しくは、食品を盛り付けるために用いる容器の構造であって、繰り返し使用することが可能であり、洗浄が容易な盛り付け用の皿体に関するものである。
【背景技術】
【０００２】
従来、食品を調理したり焼いたりする場合、オーブン皿などの食器に食品が付着して洗浄することが困難となることがあり、その構造の改善が求められていた。また、従来の調理に使う紙製オーブン皿などは、１回使用しただけで廃棄しなければならない上、立体形状であるため占有空間が大きく、持ち運びが容易でなく、物に当たって変形する虞があるという問題が提起されてきた。
【０００３】
かかる状況下において、実用新案登録第３０８１２８４号公報（以下、「特許文献１」という。）には、携帯用折り畳み食器が記載されている。
【０００４】
また、特開２０００-９３２９６号公報（以下、「特許文献２」という。）には、電子レンジやオーブン等で、そのまま調理が可能な加熱処理用耐熱性紙容器が記載されている。
【０００５】
前記の特許文献１には、湯飲み茶碗が伸縮でき、かつ、上蓋、右翼部及び左翼部等を本体に対応して展開又は折り重ねが可能な食器が記載されている。しかし、同文献に記載の食器は調理に使用可能であることについては記載されていない。または加熱調理に使用できることも開示されていない。
【０００６】
また、特許文献２には、加熱調理には使用できる耐熱性紙容器について記載されているが、折り曲げ可能であることは記載されていない。
【０００７】
従って、いずれの特許文献にも、折り曲げ可能な耐熱性容器については開示がない。
【特許文献１】実用新案登録第３０８１２８４号公報
【特許文献２】特開２０００-９３２９６号公報
【考案の概要】
【考案が解決しようとする課題】
【０００８】
従って、本考案の課題は、安価で軽量である上、様々なタイプの容器に製作することが可能であり、容易に洗浄することができる皿体を提供することにある。
【課題を解決するための手段】
【０００９】
そこで、本考案者は、前記の本考案の課題を解決するため鋭意検討を重ねた結果、種々の形状に成型可能な、折り曲げ可能な構造であり、かつ加熱可能な耐熱性である材料からなる皿体を提供することにより、前記の課題を解決できることに着目し、本考案に想到するに至った。
【００１０】
かくして、本考案によれば、容器及びシリコーンゲル体を備える折り曲げ可能な耐熱性皿体であって、
前記容器は、皿体及び複数の折り曲げ辺を有し、前記皿体は、内側に折り曲げられて形成される前記折り曲げ辺を外縁に有し、前記折り曲げ辺は、前記皿体の周縁部に形成され、
前記皿体は、前記折り曲げ辺で折り曲げて容器の形状に形成され、
前記シリコーンゲル体は、シリコーンゲルからなり、前記皿体と食品とが接触する面と、前記皿体の表面とに形成されてなることを特徴とする折り曲げ可能な耐熱性皿体が提供される。
【００１１】
前記皿体上には、少なくとも１つの固定部材のフレーム体が配置されてなることが好ましい。
【００１２】
前記皿体は、再生紙又は分解容易な紙材からなることが好ましい。
【００１３】
前記皿体の前記折り曲げ辺の間で重なる箇所には、取り付け孔が設けられ、前記取り付け孔には、固定部材の係止端部が挿設され、前記皿体には、前記固定部材が少なくとも１つ取り付けられ、前記固定部材は、係止端部、嵌杆及び固定端をそれぞれ有し、前記係止端部は、前記皿体の前記取り付け孔より略大きい外径を有し、前記嵌杆が側部に延設され、前記嵌杆の外径が前記取り付け孔の直径より略小さく、前記嵌杆の端部に固定端が設けられ、前記固定端は、前記取り付け孔の直径より大きい外径を有することが好ましい。
【００１４】
前記皿体は、切断されて多角形状に形成され、前記折り曲げ辺で折り曲げて多角形状に形成されるか、又は前記折り曲げ辺で折り曲げて一方がケース状に形成されてなることが好ましい。
【００１５】
前記固定部材の前記フレーム体は、中空状又は中実状であることが好ましい。
【００１６】
前記固定部材の前記フレーム体は、Ｌ字状の形状を有し、前記フレーム体のＬ字状のコーナー部には、折り曲げられた前記容器の前記皿体の上縁が係合されることが好ましい。
【考案の効果】
【００１７】
本考案の折り曲げ可能な耐熱性皿体は、安価で軽量である上、様々なタイプに製作し、容易に洗浄することができる。
【図面の簡単な説明】
【００１８】
【図１】本考案の一実施形態による折り曲げ可能な耐熱性皿体を示す分解斜視図である。
【図２】本考案の一実施形態による折り曲げ可能な耐熱性皿体を組み立ててフレーム体を配置した状態を示す斜視図である。
【図３】本考案の一実施形態による折り曲げ可能な耐熱性皿体の固定部材により固定する状態を示す斜視図である。
【図４】図３のＡ部分を示す拡大図である。
【考案を実施するための形態】
【００１９】
以下、本考案の実施形態について図面に基づいて説明する。なお、これによって本考案が限定されるものではない。
【００２０】
図１を参照する。図１に示すように、本考案の一実施形態による折り曲げ可能な加熱調理用の耐熱性皿体は、少なくとも容器１、シリコーンゲル体２及び固定部材３から構成される。
【００２１】
容器１は、平面状の皿体１１及び折り曲げ辺１２から構成される。この皿体１１の外縁には、内側に折り曲げることが可能な複数の折り曲げ辺１２が設けられている。折り曲げ辺１２は、皿体１１内に盛り合わせた食品が落ちないように、皿体１１の周縁部に設けられている。容器１は、皿体１１の折り曲げ辺１２が折り曲げられて立体状に形成されている。容器１は、食品を盛り合わせて食品を加熱するために用い、皿体１１の材料には、再生紙を使用したり、自然に分解して環境を汚染しない紙材を使用したりし、皿体１１の上面（平面）及び底面には、シリコーンゲル体２が塗布されている。
【００２２】
シリコーンゲル体２は、非粘着性の塗料であり、容器１の皿体１１の表面に接着させることができる。シリコーンゲル体２には、熱伝導性物質を混合させることにより、食品の調理時間を短くし、塗布又は吹き付け方式により、皿体１１と食品とが接触される面にシリコーンゲルを付着させてシリコーンゲル体２を形成する。シリコーンゲル体２を付着させる際、ローラ塗布、浸液、熱圧成形、被覆などの方式により皿体１１上に形成してもよい。皿体１１を折り曲げて立たせると、シリコーンゲル体２が容器１の内縁に位置するため、食品を焼いたときに粘着してしまうことを防ぐことができる上、皿体１１上に固定部材３を着脱自在に取り付けてもよい。
【００２３】
固定部材３は、容器１の皿体１１を折り曲げられた状態に固定するために用いる。固定部材３は、金属又はポリプロピレンの耐熱性プラスチック材料からなり、中空状のフレーム体３１でもよい。フレーム体３１は、焼成方式及び食物の種類に応じてプレート状、Ｌ字状又はコイル状に形成し、折り曲げた後に容器１の皿体１１の下端を容器１の皿体１１の上端に嵌合させ、フレーム体３１のＬ字状のコーナー部に折り曲げた後の皿体１１の上縁が係合され、これにより皿体１１の上端にフレーム体３１を固定させる。上述のフレーム体３１は、調理に供する食品の種類に応じ、折り曲げた後の皿体１１の他の場所に嵌合させてもよい。例えば、図２に示すように、折り曲げた後の皿体１１の外周の三分の一又は三分の二の箇所で、折り曲げた皿体１１の上縁にフレーム体３１を嵌合させると、その形状を最も安定した状態にすることができる。また、このフレーム体３１を中実体で構成し、折り曲げた後の皿体１１の下端にフレーム体３１を上向きに嵌合させてもよい。
【００２４】
図３及び図４を参照する。図３及び図４に示すように、上述の折り曲げた後の容器１の皿体１１は、複数の折り曲げ辺１２の間に互いに重ねられた箇所を有し、折り曲げ辺１２と折り曲げ辺１２とが重ねられた部分には、取り付け孔１３がそれぞれ設けられている。この取り付け孔１３には、固定部材３の係止端部３２が挿設され、上述の固定部材３は、係止端部３２、嵌杆３３及び固定端３４から構成される。係止端部３２の外径が皿体１１の取り付け孔１３の直径より略大きい上、係止端部３２の側部に嵌杆３３が延設されている。嵌杆３３は、取り付け孔１３内に杆体を挿設させることが容易なように、取り付け孔１３の直径より略小さな外径を有する。嵌杆３３の端部には、固定端３４が設けられている。固定端３４は、互いに重なった折り曲げ辺１２を固定させるために用いる取り付け孔１３の直径より大きな外径を有するブロック体である。係止端部３２は、取り付け孔１３へ容易に挿入できるように、円球状又はテーパー状に形成されてもよい。
【００２５】
また、上述の容器１は、切断されて多角形状に形成された皿体１１を有し、形状が内側に折り曲げられて複数の縁部が設けられて折り曲げ辺１２が形成される。皿体１１は、折り曲げ辺１２で折り曲げて多角形状の容器１を形成したり、折り曲げ辺１２で折り曲げて一方がケース状である容器１を形成したりしてもよい。
【００２６】
本考案の折り曲げ可能な、加熱調理に適した耐熱性皿体は、実際に食品を焼く際、図１に示すように、平面状の皿体１１を縁部から内側に向けて折り曲げ、立体状に形成して容器１を構成し、皿体１１の上縁に固定部材３のフレーム体３１を外嵌し、縁部が重ねられた折り曲げ辺１２をフレーム体３１により固定し、焼くための食品を置いた皿体１１をオーブン又は電子レンジ内に入れて加熱しても、非粘着性のシリコーンゲル体２により食品が皿体１１に粘着することがないため、焼いた食品を皿体１１から容易に取り出すことができる。
【００２７】
上述したことから分かるように、本考案の折り曲げ可能な耐熱性皿体は、可撓性、折り曲げ可能性を有する材料により組み立て、耐熱、無害、非粘着性を有し、洗浄が容易なシリコーンゲル体を皿体上に形成し、食品が皿体に接着してしまうことを防ぎ、皿体を繰り返して使用することができるため便利であり、環境汚染がなくエネルギーを節約することができる上、折り曲げて立体状に形成された皿体を固定する少なくとも１つの固定部材を設置することにより、その組み合わせ構造の安定性を高めて便利に使用することができる。また、製造コストが安価で軽量であり、使用機能が高くて実用的であり、環境を汚染させないという長所を有する。
【００２８】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１  容器
２  シリコーンゲル体
３  固定部材
１１  皿体
１２  折り曲げ辺
１３  取り付け孔
３１  フレーム体
３２  係止端部
３３  嵌杆
３４  固定端
【図１】
0003173686.tif 000003
【図２】
0003173686.tif 000004
【図３】
0003173686.tif 000005
【図４】
0003173686.tif 000006